(57)【要約】【課題】背景部の色を変更できる液晶表示装置。【解決手段】前面基板24と背面基板26間に液晶28を配置すると共に前面基板24にセグメント電極30を形成して構成したセグメント表示部14と、セグメント表示部14周囲の背景部16を有する液晶表示パネル18と、導光板36と導光板36の側面に配置されるＬＥＤ38を有すると共に、導光板36の裏面に、導光板36への入射光を液晶表示パネル18側に出射させる光散乱層40を形成し、光散乱層40は、セグメント表示部14と対応する位置であり、且つ、セグメント表示部14と同一形状とした第１のバックライト20と、導光板42と導光板42の側面に沿って配置されるＲ、Ｇ、Ｂの光を発光するＬＥＤ42Ｒ，42Ｇ，42Ｂを有すると共に、導光板42の裏面に、導光板42への入射光を液晶表示パネル18側に出射させる光散乱層46を形成し、光散乱層46は、背景部16と対応する位置であり、且つ、背景部16と同一形状とした第２のバックライト22を備えた。【選択図】図２
2012068347.tif 000002
【特許請求の範囲】
【請求項１】
所定間隔を設けて対向配置した透光性絶縁材より成る前面基板と背面基板との間に液晶を配置すると共に、上記前面基板又は背面基板側に透明な所定形状のセグメント電極を形成して構成したセグメント表示部と、該セグメント表示部周囲の背景部を有する液晶表示パネルと、
導光板と、該導光板の少なくとも一側面に沿って配置される光源を有すると共に、上記導光板の表面又は裏面に、導光板内部に入射した光源の光を散乱して上記液晶表示パネル側に出射させる光散乱層を形成して成り、上記光散乱層は、上記セグメント表示部と対応する位置であり、且つ、上記セグメント表示部と同一形状に形成されている第１のバックライトと、
導光板と、該導光板の少なくとも一側面に沿って配置される異なる色の光を発光する複数種類の光源を有すると共に、上記導光板の表面又は裏面に、導光板内部に入射した光源の光を散乱して上記液晶表示パネル側に出射させる光散乱層を形成して成り、上記光散乱層は、上記背景部と対応する位置であり、且つ、上記背景部と同一形状に形成されている第２のバックライトと、
を備えたことを特徴とする液晶表示装置。
【請求項２】
上記第２のバックライトの光源が、赤色発光用の光源、緑色発光用の光源、青色発光用の光源で構成されていることを特徴とする請求項１又は２に記載の液晶表示装置。
【請求項３】
上記第１のバックライト及び第２のバックライトの光源が発光ダイオードであることを特徴とする請求項１又は２に記載の液晶表示装置。
【請求項４】
上記光散乱層が、ドットパターンで構成されていることを特徴とする請求項１乃至３の何れかに記載の液晶表示装置。
【発明の詳細な説明】
【技術分野】
【０００１】
この発明は、セグメント表示部と該セグメント表示部周囲の背景部を有する液晶表示装置に関する。
【背景技術】
【０００２】
図７及び図８は、セグメント表示部と該セグメント表示部周囲の背景部とを有する液晶表示装置の一例を示すものであり、該液晶表示装置70は表示面72において、数字を表示するための６個の７セグメントと、「；（セミコロン）」を表示するセグメントと、「．（ドット）」を表示するセグメントより成るセグメント表示部74と、該セグメント表示部74の周囲の背景部76を有している。
【０００３】
上記液晶表示装置70は、図８に示すように、液晶パネル78とバックライト80を有している。
上記液晶パネル78は、所定間隔を設けて対向配置した透光性絶縁材より成る前面基板82と背面基板84との間に液晶86を配置して成る。
また、前面基板82の裏面には、上記セグメント表示部74の形状に対応する透明なセグメント電極88が形成されている。
さらに、上記背面基板84の表面には、上記前面基板82のセグメント電極88と対向する透明電極90が形成されている。
また、上記前面基板82の表面、及び、背面基板84の裏面には偏光板92が配置されており、前面基板82側の偏光板92の表面が上記表示面72となっている。
【０００４】
上記バックライト80は、導光板94と、該導光板94の一側面に沿って配置される光源としての赤色発光用のＬＥＤ96Ｒ，緑色発光用のＬＥＤ96Ｇ，青色発光用のＬＥＤ96Ｂを備えている。
また、上記導光板94の裏面には、一側面から導光板94内部に入射したＬＥＤ96の光を散乱して導光板94の表面から出射させる光散乱層98が形成されている。
【０００５】
尚、セグメント表示部と該セグメント表示部周囲の背景部を有する液晶表示装置としては、例えば、特開２０００−９８４１１号公報がある。
【特許文献１】特開２０００−９８４１１号公報
【発明の開示】
【発明が解決しようとする課題】
【０００６】
上記液晶表示装置70は、フィールドシーケンシャル方式の液晶表示装置であり、バックライト80の光源である赤色発光用のＬＥＤ96Ｒ，緑色発光用のＬＥＤ96Ｇ，青色発光用のＬＥＤ96Ｂを時間的に高速で切り替えながら点灯させると共に、これに同期して特定のセグメント電極88と透明電極90間に電圧を印加して液晶86の配向状態を変化させ、Ｒ、Ｇ、Ｂの色の光を選択的に透光可能とすることにより、セグメント表示部74におけるＲ、Ｇ、Ｂの表示パターンを高速且つ連続的に時分割方式で重ねて表示させ、人間の目の残像現象によりＲ、Ｇ、Ｂを混合させて所望の色のカラー表示を行うことができるものである。
【０００７】
しかしながら、上記液晶表示装置70にあっては、セグメント表示部74周囲の背景部76は色の変更をすることができず、赤色発光用のＬＥＤ96Ｒの赤色光、緑色発光用のＬＥＤ96Ｇの緑色光、青色発光用のＬＥＤ96Ｂの青色光が混色した白色のみであった。
【０００８】
本発明は、上記問題に鑑みてなされたものであり、その目的とするところは、セグメント表示部と該セグメント表示部周囲の背景部を有する液晶表示装置において、背景部の色を変更することができる液晶表示装置を実現することにある。
【課題を解決するための手段】
【０００９】
上記の目的を達成するため、本発明の請求項１に記載の液晶表示装置は、
所定間隔を設けて対向配置した透光性絶縁材より成る前面基板と背面基板との間に液晶を配置すると共に、上記前面基板又は背面基板側に透明な所定形状のセグメント電極を形成して構成したセグメント表示部と、該セグメント表示部周囲の背景部を有する液晶表示パネルと、
導光板と、該導光板の少なくとも一側面に沿って配置される光源を有すると共に、上記導光板の表面又は裏面に、導光板内部に入射した光源の光を散乱して上記液晶表示パネル側に出射させる光散乱層を形成して成り、上記光散乱層は、上記セグメント表示部と対応する位置であり、且つ、上記セグメント表示部と同一形状に形成されている第１のバックライトと、
導光板と、該導光板の少なくとも一側面に沿って配置される異なる色の光を発光する複数種類の光源を有すると共に、上記導光板の表面又は裏面に、導光板内部に入射した光源の光を散乱して上記液晶表示パネル側に出射させる光散乱層を形成して成り、上記光散乱層は、上記背景部と対応する位置であり、且つ、上記背景部と同一形状に形成されている第２のバックライトと、
を備えたことを特徴とする。
【００１０】
本発明の請求項２に記載の液晶表示装置は、請求項１に記載の液晶表示装置において、
上記第２のバックライトの光源が、赤色発光用の光源、緑色発光用の光源、青色発光用の光源で構成されていることを特徴とする。
【００１１】
本発明の請求項３に記載の液晶表示装置は、請求項１又は２に記載の液晶表示装置において、
上記第１のバックライト及び第２のバックライトの光源が発光ダイオードであることを特徴とする。
【００１２】
本発明の請求項４に記載の液晶表示装置は、請求項１乃至３の何れかに記載の液晶表示装置において、
上記光散乱層が、ドットパターンで構成されていることを特徴とする。
【発明の効果】
【００１３】
本発明の請求項１に記載の液晶表示装置は、導光板と、該導光板の少なくとも一側面に沿って配置される光源を有すると共に、上記導光板の表面又は裏面に、導光板内部に入射した光源の光を散乱して液晶表示パネル側に出射させる光散乱層を形成して成り、上記光散乱層は、液晶表示パネルのセグメント表示部と対応する位置であり、且つ、上記セグメント表示部と同一形状に形成されている第１のバックライトと、導光板と、該導光板の少なくとも一側面に沿って配置される異なる色の光を発光する複数種類の光源を有すると共に、上記導光板の表面又は裏面に、導光板内部に入射した光源の光を散乱して液晶表示パネル側に出射させる光散乱層を形成して成り、上記光散乱層は、液晶表示パネルの背景部と対応する位置であり、且つ、上記背景部と同一形状に形成されている第２のバックライトを備えている。
従って、第１のバックライトの導光板内部に入射した光源の光は、セグメント表示部と対応する位置であり、且つ、セグメント表示部と同一形状に形成された光散乱層で散乱されて、セグメント表示部と同一形状の光が液晶表示パネル側に出射して液晶表示パネルに入射するので、斯かるセグメント表示部と同一形状の光によって、液晶表示パネルのセグメント表示部の表示が行われることとなる。
また、第２のバックライトの導光板内部に入射した異なる色の光を発光する複数種類の光源の光は、背景部と対応する位置であり、且つ、上記背景部と同一形状に形成された光散乱層で散乱されて、背景部と同一形状の光が液晶表示パネル側に出射して液晶表示パネルに入射するので、斯かる背景部と同一形状の光によって、液晶表示パネルの背景部の表示が行われることとなる。
そして、第２のバックライトは、異なる色の光を発光する複数種類の光源を有しているので、斯かる複数種類の光源を選択的に点灯することにより、背景部の色を変更することができる。
【００１４】
請求項２に記載の液晶表示装置の如く、第２のバックライトの光源を、赤色発光用の光源、緑色発光用の光源、青色発光用の光源で構成した場合において、何れか１種類のみの光源を点灯させれば、背景部では赤、緑、青の何れかの色での表示を行うことができる。
また、赤色発光用の光源、緑色発光用の光源、青色発光用の光源の何れか２種類を選択して点灯させた場合には、赤、緑、青の何れか２色の混色での表示を行うことができる。
さらに、赤色発光用の光源、緑色発光用の光源、青色発光用の光源の全てを選択して点灯させた場合には、赤、緑、青の３色の混色での表示が行われる。
而して、赤色発光用の光源、緑色発光用の光源、青色発光用の光源の２種類以上を点灯させた場合において、各光源の輝度を調整して導光板に入射させる赤、緑、青の光量の割合を調整すれば、所望の色の表示を行うことができる。
【発明を実施するための最良の形態】
【００１５】
以下に、本発明に係る液晶表示装置10を図面に基づいて説明する。図１は、本発明に係る液晶表示装置を模式的に示す平面概略図、図２は、本発明に係る液晶表示装置を模式的に示す平面図中央横断面概略図である。
本発明の液晶表示装置10は、その表示面12において、数字を表示するための６個の７セグメントと、「；（セミコロン）」を表示するセグメントと、「．（ドット）」を表示するセグメントより成るセグメント表示部14と、該セグメント表示部14の周囲の背景部16を有している。
尚、図１の場合は、背景部16の色が青色と成されているが、本実施形態においては、図示の便宜上、背景部16の色の差は色調差で表現することとする。
【００１６】
上記液晶表示装置10は、図２に示すように、液晶表示パネル18と、該液晶表示パネル18の下方に配置される第１のバックライト20と、該第１のバックライト20の下方に配置される第２のバックライト22と、該第２のバックライト22の下方に配置される反射板23を有している。
上記液晶表示パネル18は、所定間隔を設けて対向配置したガラス等の前面基板24と背面基板26との間に液晶28を配置して成る。また、前面基板24の裏面には、上記セグメント表示部14の形状に対応するＩＴＯ膜より成る透明なセグメント電極30が形成されている。而して、前面基板24と背面基板26との間に液晶28を配置すると共に、前面基板24側に上記セグメント電極30を形成することにより、表示面12のセグメント表示部14が構成される。
さらに、上記背面基板26の表面には、上記前面基板24のセグメント電極30と対向するＩＴＯ膜より成る透明電極32が形成されている。
また、上記前面基板24の表面、及び、背面基板26の裏面には偏光板34が配置されており、前面基板24側の偏光板34の表面が上記表示面12となっている。
【００１７】
上記第１のバックライト20は、アクリル樹脂やシリコーン樹脂等より成る透明な導光板36と、該導光板36の一側面に沿って配置される光源としての赤色発光用のＬＥＤ（発光ダイオード）38Ｒ，緑色発光用のＬＥＤ（発光ダイオード）38Ｇ，青色発光用のＬＥＤ（発光ダイオード）38Ｂを備えている（図１参照）。
【００１８】
また、上記導光板36の裏面には、一側面から導光板36内部に入射したＬＥＤ38の光を散乱して上方の液晶表示パネル18側に出射させる光散乱層40が形成されている。
図３は、第１のバックライト20を模式的に示す底面概略図であり、該図３に示すように、上記光散乱層40は、導光板36の裏面において、上記セグメント表示部14と対応する位置であり、且つ、上記セグメント表示部14と同一形状に形成されている。
【００１９】
上記第２のバックライト22は、アクリル樹脂やシリコーン樹脂等より成る透明な導光板42と、該導光板42の一側面に沿って配置される光源としての赤色発光用のＬＥＤ44Ｒ，緑色発光用のＬＥＤ44Ｇ，青色発光用のＬＥＤ44Ｂを備えている（図４参照）。
【００２０】
また、上記導光板42の裏面には、一側面から導光板42内部に入射したＬＥＤ44の光を散乱して上方の液晶表示パネル18側に出射させる光散乱層46が形成されている。
図４は、第２のバックライト22を模式的に示す底面概略図であり、該図４に示すように、上記光散乱層46は、導光板42の裏面において、上記背景部16と対応する位置であり、且つ、上記背景部16と同一形状に形成されている。
【００２１】
第１のバックライト20の上記光散乱層40、第２のバックライト22の上記光散乱層46は、ドットパターンで構成されている。ドットパターンより成る光散乱層40，46は、例えば、白色インクを導光板36，42上にスクリーン印刷したり、酸化チタン粒子を含有した塗料をドット状にシルク印刷することにより形成することができる。尚、ドットパターンを構成するドットの径は例えば０．１mm程度と成される。
尚、光散乱層40，46は、導光板36，42の一面をレーザ照射することにより、導光板36，42の一面に微細な凹凸を設けることによっても形成することができる。
【００２２】
上記第１のバックライト20は、フィールドシーケンシャル方式によりセグメント表示部14の表示及び色を制御するために設けられたものである。
すなわち、第１のバックライト20の光源である赤色発光用のＬＥＤ38Ｒ，緑色発光用のＬＥＤ38Ｇ，青色発光用のＬＥＤ38Ｂを時間的に高速で切り替えながら点灯させると、Ｒ（赤）、Ｇ（緑）、Ｂ（青）の色の光が一側面から導光板36内部に入射し、光散乱層40で散乱されて上方の液晶表示パネル18側に出射する。上記の通り、第１のバックライト20を構成する導光板36の光散乱層40は、セグメント表示部14と対応する位置であり、且つ、上記セグメント表示部14と同一形状に形成されているので、第１のバックライト20の導光板36からは、セグメント表示部14と同一形状の光が液晶表示パネル18側に出射し、液晶表示パネル18に入射することとなる（図２の矢印参照）。
【００２３】
そして、ＬＥＤ38Ｒ，38Ｇ，38Ｂの点灯駆動に同期して特定のセグメント電極30と透明電極32間に電圧を印加して液晶28の配向状態を変化させ、Ｒ、Ｇ、Ｂの色の光を選択的に透光可能とすることにより、特定のセグメント表示部14におけるＲ、Ｇ、Ｂの表示パターンを高速且つ連続的に時分割方式で重ねて表示させれば、人間の目の残像現象によりＲ、Ｇ、Ｂを混合させて所望の色のカラー表示を行うことができるのである。
【００２４】
例えば、特定のセグメント表示部14において、Ｒ、Ｇ、Ｂの何れか１色のみの表示パターンを高速且つ連続的に時分割方式で重ねて表示した場合には、当該セグメント表示部14ではＲ、Ｇ、Ｂの何れか１色での表示が行われる。
また、特定のセグメント表示部14において、Ｒ、Ｇ、Ｂの何れか２色の表示パターンを高速且つ連続的に時分割方式で重ねて表示した場合には、当該セグメント表示部14では上記２色の混色での表示が行われる。
さらに、特定のセグメント表示部14において、Ｒ、Ｇ、Ｂの３色の表示パターンを高速且つ連続的に時分割方式で重ねて表示した場合には、当該セグメント表示部14では上記３色の混色での表示が行われる。
而して、３色の表示パターンを高速且つ連続的に時分割方式で重ねて表示した場合において、各色の発光時間の積分値を調整することにより、所望の色の表示を行うことができるのである。
【００２５】
上記フィールドシーケンシャル方式の液晶表示装置10は、カラーフィルタを用いる必要がないので、透過率の向上による消費電力の削減が見込め、ＬＥＤ等の光源の発光光を直接見るため色再現性が高い等の利点を有している。
【００２６】
上記第２のバックライト22は背景部16の色を制御するために設けられたものである。
すなわち、第２のバックライト22の光源である赤色発光用のＬＥＤ44Ｒ，緑色発光用のＬＥＤ44Ｇ，青色発光用のＬＥＤ44Ｂを選択的に点灯させると、選択したＲ（赤）、Ｇ（緑）、Ｂ（青）の色の光が一側面から導光板42内部に入射し、光散乱層46で散乱されて上方の液晶表示パネル18側に出射する。上記の通り、第２のバックライト22を構成する導光板42の光散乱層46は、背景部16と対応する位置であり、且つ、上記背景部16と同一形状に形成されているので、第２のバックライト22の導光板42からは、背景部16と同一形状の光が液晶表示パネル18側に出射し、液晶表示パネル18に入射することとなる（図２の矢印参照）。
【００２７】
そして、液晶表示パネル18に入射した背景部16と同一形状の光は、液晶表示パネル18を透過し、背景部16において所定の色の表示を行うことができるのである。
例えば、赤色発光用のＬＥＤ44Ｒ，緑色発光用のＬＥＤ44Ｇ，青色発光用のＬＥＤ44Ｂの何れか１種類のみを点灯させた場合には、背景部16ではＲ、Ｇ、Ｂの何れかの色での表示が行われる。
また、赤色発光用のＬＥＤ44Ｒ，緑色発光用のＬＥＤ44Ｇ，青色発光用のＬＥＤ44Ｂの何れか２種類を選択して点灯させた場合には、Ｒ、Ｇ、Ｂの何れか２色の混色での表示が行われる。
さらに、赤色発光用のＬＥＤ44Ｒ，緑色発光用のＬＥＤ44Ｇ，青色発光用のＬＥＤ44Ｂの全てを選択して点灯させた場合には、Ｒ、Ｇ、Ｂの３色の混色での表示が行われる。
而して、赤色発光用のＬＥＤ44Ｒ，緑色発光用のＬＥＤ44Ｇ，青色発光用のＬＥＤ44Ｂの２種類以上を点灯させた場合において、各ＬＥＤ44Ｒ，44Ｇ，44Ｂの輝度を調整して導光板42に入射させるＲ、Ｇ、Ｂの光量の割合を調整すれば、所望の色の表示を行うことができる。
【００２８】
上記反射板23は、第１のバックライト20及び第２のバックライト22の下方に配置されており、第１のバックライト20の光散乱層40、第２のバックライト22の光散乱層46を透過して下方に向かった光を反射させて液晶表示パネル18（上方）側に導くために設けられたものである。
上記反射板23は、白色板や、銀やアルミニウム等の反射特性に優れた金属を表面に蒸着した板材で構成することができる。
【００２９】
本発明の液晶表示装置10にあっては、導光板36と、該導光板36の一側面に沿って配置されるＬＥＤ38Ｒ，38Ｇ，38Ｂを有すると共に、上記導光板36の裏面に、一側面から導光板36内部に入射したＬＥＤ38Ｒ，38Ｇ，38Ｂの光を散乱して液晶表示パネル18側に出射させる光散乱層40を形成して成り、上記光散乱層40は、上記セグメント表示部14と対応する位置であり、且つ、上記セグメント表示部14と同一形状に形成されている第１のバックライト20と、導光板42と、該導光板42の一側面に沿って配置されるＬＥＤ44Ｒ，44Ｇ，44Ｂを有すると共に、上記導光板42の裏面に、一側面から導光板42内部に入射したＬＥＤ44Ｒ，44Ｇ，44Ｂの光を散乱して液晶表示パネル18側に出射させる光散乱層46を形成して成り、上記光散乱層46は、上記背景部16と対応する位置であり、且つ、上記背景部16と同一形状に形成されている第２のバックライトを備えている。
【００３０】
従って、第１のバックライト20の導光板36内部に入射したＬＥＤ38Ｒ，38Ｇ，38Ｂの光は、セグメント表示部14と対応する位置であり、且つ、セグメント表示部14と同一形状に形成された光散乱層40で散乱されて、セグメント表示部14と同一形状の光が液晶表示パネル18側に出射して液晶表示パネル18に入射するので、斯かるセグメント表示部14と同一形状の光によって、液晶表示パネル18のセグメント表示部14の表示が行われることとなる。
また、第２のバックライト22の導光板42内部に入射したＬＥＤ44Ｒ，44Ｇ，44Ｂの光は、背景部16と対応する位置であり、且つ、上記背景部16と同一形状に形成された光散乱層46で散乱されて、背景部16と同一形状の光が液晶表示パネル18側に出射して液晶表示パネル18に入射するので、斯かる背景部16と同一形状の光によって、液晶表示パネル18の背景部16の表示が行われることとなる。
そして、第２のバックライト22の光源である赤色発光用のＬＥＤ44Ｒ，緑色発光用のＬＥＤ44Ｇ，青色発光用のＬＥＤ44の３種類を選択的に点灯することにより、背景部16の色を変更することができるのである。
【００３１】
例えば、本発明の液晶表示装置10を、機器の作動状態を監視するためのモニターとして使用する場合において、機器が正常な状態で作動している場合には図１の如く背景部16を青色で表示し、機器が異常な状態で作動している場合には図５に示す如く背景部16を赤色で表示し、さらに、注意が必要な状態で機器が作動している場合には図６に示す如く背景部16を黄色で表示するようにすれば、セグメント表示部14の数値を確認することなく、背景部16の色で遠方から機器の作動状態を容易に判断することができるようになる。
また、第２のバックライト22の光源であるＬＥＤ44Ｒ，44Ｇ，44Ｂを点滅駆動させることにより、背景部16が赤色や黄色等の所定色で点滅表示されるようにすれば、より一層、監視者の注意を喚起することができる。
【００３２】
上記においては、フィールドシーケンシャル方式の液晶表示装置10を例示して説明したが、本発明はこれに限定されるものではなく、カラーフィルタを用いてセグメント表示部14の表示を行う液晶表示装置に適用しても良い。
【００３３】
また、第２のバックライト22の光源としては、上記の通り、赤色発光用のＬＥＤ44Ｒ，緑色発光用のＬＥＤ44Ｇ，青色発光用のＬＥＤ44Ｂの３種類を用いるのが好ましいが、必ずしもこれに限定されるものではなく、異なる色の光を発光する２種類以上の光源を有していれば、背景部16の色を変更することは可能である。
【００３４】
さらに、第１のバックライト20の光源としては、上記の通り、赤色発光用のＬＥＤ38Ｒ，緑色発光用のＬＥＤ38Ｇ，青色発光用のＬＥＤ38Ｂを用いるのが好ましいが、必ずしもこれに限定されるものではない。すなわち、背景部16の色を変更するという目的達成のためには、第２のバックライト22が異なる色の光を発光する２種類以上の光源を有していれば良く、従って、第１のバックライト20の光源は１種類であっても良い。
【００３５】
また、上記においては、前面基板24側にセグメント電極30、背面基板26側に透明電極32を形成した場合を例示したが、前面基板24側に透明電極32、背面基板26側にセグメント電極30を形成するようにしても良い。
【００３６】
さらに、上記においては、第１のバックライト20の導光板36の裏面に光散乱層40、第２のバックライト22の導光板42の裏面に光散乱層46を形成した場合を例示したが、第１のバックライト20の導光板36の表面に光散乱層40、第２のバックライト22の導光板42の表面に光散乱層46を形成するようにしても良い。
【００３７】
また、上記においては、第１のバックライト20の光源であるＬＥＤ38Ｒ，38Ｇ，38Ｂ、第２のバックライト22の光源であるＬＥＤ44Ｒ，44Ｇ，44Ｂを、それぞれ導光板36，42の一側面に沿って配置した場合を例示したが、これに限定されるものではなく、導光板36，42の対向する二側面に沿って配置しても良い。要するに、導光板36，42の少なくとも一側面に沿って、光源であるＬＥＤ38Ｒ，38Ｇ，38Ｂ、ＬＥＤ44Ｒ，44Ｇ，44Ｂが配置されていれば良い。
【００３８】
さらにまた、上記においては、第１のバックライト20の下方に第２のバックライト22を配置した場合について説明したが、第２のバックライト22の下方に第１のバックライト20を配置しても良い。
【図面の簡単な説明】
【００３９】
【図１】本発明に係る液晶表示装置を模式的に示す平面概略図である。
【図２】本発明に係る液晶表示装置を模式的に示す平面図中央横断面概略図である。
【図３】第１のバックライトを模式的に示す底面概略図である。
【図４】第２のバックライトを模式的に示す底面概略図である。
【図５】背景部の色を赤色とした本発明に係る液晶表示装置を模式的に示す平面概略図である。
【図６】背景部の色を黄色とした本発明に係る液晶表示装置を模式的に示す平面概略図である。
【図７】従来の液晶表示装置を模式的に示す平面概略図である。
【図８】従来の液晶表示装置を模式的に示す平面図中央横断面概略図である。
【符号の説明】
【００４０】
10    液晶表示装置
12    表示面
14    セグメント表示部
16    背景部
18    液晶表示パネル
20    第１のバックライト
22    第２のバックライト
23    反射板
24    前面基板
26    背面基板
28    液晶
30    セグメント電極
32    透明電極
34    偏光板
36    第１のバックライトの導光板
38Ｒ  第１のバックライトの赤色発光用のＬＥＤ
38Ｇ  第１のバックライトの緑色発光用のＬＥＤ
38Ｂ  第１のバックライトの青色発光用のＬＥＤ
40    第１のバックライトの光散乱層
42    第２のバックライトの導光板
44Ｒ  第２のバックライトの赤色発光用のＬＥＤ
44Ｇ  第２のバックライトの緑色発光用のＬＥＤ
44Ｂ  第２のバックライトの青色発光用のＬＥＤ
46    第２のバックライトの光散乱層
【図１】
2012068347.tif 000003
【図２】
2012068347.tif 000004
【図３】
2012068347.tif 000005
【図４】
2012068347.tif 000006
【図５】
2012068347.tif 000007
【図６】
2012068347.tif 000008
【図７】
2012068347.tif 000009
【図８】
2012068347.tif 000010